【手続補正書】
【提出日】平成21年9月10日(2009.9.10)
【手続補正１】
【補正対象書類名】特許請求の範囲
【補正対象項目名】全文
【補正方法】変更
【補正の内容】
【特許請求の範囲】
【請求項１】
遊技盤に区画形成された遊技領域に遊技球を打ち込んで遊技を行う遊技機であって、
前記遊技領域に打ち込まれた遊技球を受け入れる球入口と、
入賞口を開放する開放位置と閉鎖する閉鎖位置との間で移行可能な開閉部材を有する可変入賞球装置と、を備え、
前記可変入賞球装置は、
前記球入口に入った遊技球を前記遊技盤の裏面側で自然落下させる落下通路と、
支軸を中心として回動自在に取り付けられて前記落下通路を落下する遊技球の自重によって回動する回動部材と、を備え、
前記回動部材は、
当該回動部材を前記支軸に回動自在に軸支する軸支部と、
該軸支部に突設されると共に前記落下通路を落下する遊技球との当接によって当該回動部材を回動する当接部と、
前記軸支部に突設されると共に当該回動部材の回動動作に応じて前記開閉部材と係合して開閉部材を開放位置に移行する係合突起部と、を備え、
前記当接部は、前記落下通路内での突出寸法が遊技球の直径寸法よりも小さく設定され、
前記落下通路は、その通路幅寸法が遊技球の直径寸法よりも若干大きく設定されると共に、その内壁には、当該落下通路を落下する遊技球との衝突によって当該遊技球を前記当接部の前記軸支部側となる部分に誘導する誘導突起部が前記軸支部の配置位置よりも上方に突設されることを特徴とする遊技機。
【請求項２】
前記誘導突起部は、前記落下通路を落下する遊技球を前記当接部の先端側から前記軸支部側となる方向に誘導する位置に設けられると共に、前記当接部と対向する前記落下通路の内壁面に設けられることを特徴とする請求項１記載の遊技機。
【請求項３】
前記落下通路における前記当接部との対向面となる内壁には、前記当接部と当接する遊技球を前記軸支部側に押し込む押込突起部が前記軸支部よりも下方位置に突設されることを特徴とする請求項１又は請求項２記載の遊技機。
【請求項４】
前記可変入賞球装置は、左右方向に並設された２つの入賞口を備えると共に、該２つの入賞口には、前記開閉部材が個々に開閉可能に設けられ、当該２つの開閉部材に個々に設けられた前記当接部は、前記落下通路内を落下する単一の遊技球と個々に当接するように隣接して配置されることを特徴とする請求項１乃至請求項３のいずれかに記載の遊技機。
【手続補正２】
【補正対象書類名】明細書
【補正対象項目名】０００７
【補正方法】変更
【補正の内容】
【０００７】
（解決手段４）
上記目的を達成するために、請求項１の発明においては、遊技盤に区画形成された遊技領域に遊技球を打ち込んで遊技を行う遊技機であって、前記遊技領域に打ち込まれた遊技球を受け入れる球入口と、入賞口を開放する開放位置と閉鎖する閉鎖位置との間で移行可能な開閉部材を有する可変入賞球装置と、を備え、前記可変入賞球装置は、前記球入口に入った遊技球を前記遊技盤の裏面側で自然落下させる落下通路と、支軸を中心として回動自在に取り付けられて前記落下通路を落下する遊技球の自重によって回動する回動部材と、を備え、前記回動部材は、当該回動部材を前記支軸に回動自在に軸支する軸支部と、該軸支部に突設されると共に前記落下通路を落下する遊技球との当接によって当該回動部材を回動する当接部と、前記軸支部に突設されると共に当該回動部材の回動動作に応じて前記開閉部材と係合して開閉部材を開放位置に移行する係合突起部と、を備え、前記当接部は、前記落下通路内での突出寸法が遊技球の直径寸法よりも小さく設定され、前記落下通路は、その通路幅寸法が遊技球の直径寸法よりも若干大きく設定されると共に、その内壁には、当該落下通路を落下する遊技球との衝突によって当該遊技球を前記当接部の前記軸支部側となる部分に誘導する誘導突起部が前記軸支部の配置位置よりも上方に突設されることを特徴とする。
この場合、落下通路を自然落下する遊技球の衝撃力を遊技球の直径寸法よりも突出寸法が小さく設定された当接部に加えることで回動部材を回動し、回動する回動部材の係合突起部と開閉部材との係合によって開閉部材を開放する。このため、遊技球を当接部上に載せた後に遊技球の自重によって当接部を下方に押し込んで開閉部材を徐々に開放位置に移行するような構成と違い、遊技球の衝撃力が当接部に加わった瞬間に回動部材を回動して瞬時に開閉部材を開放することができる。その結果、素早いタイミングで開閉部材を開放することができる。また、この構成によれば、当接部が配される球通路（落下通路）を傾斜通路とすることなく、然も当接部を遊技球よりも大きな形状で形成することがないので、可変入賞球装置の大型化を回避でき、ひいては可変入賞球装置の設計自由度を低下させることがない。また、遊技球１個が落下通路内を自然落下する構成とすることで、球入口に遊技球が１個入る毎に開閉部材を１回開放する構成にできる。また、落下通路の通路幅を遊技球よりも若干大きめに形成することで、遊技球が落下通路の内壁に衝突する頻度を軽減することができ、遊技球の落下速度が低下することを極力回避できる。このため、遊技球の自然落下による衝撃力を極力大きな力として当接部に加わえることができ、より一層素早いタイミングで開閉部材を開放することができる。また、遊技球を当接部の軸支部側となる部分に落下させることで、遊技球の衝撃力を効率良く回動部材の回動力に変換することができ、回動部材の回動速度を高めることでより一層素早いタイミングでの開閉部材の開放が可能になる。さらには、誘導突起部を設けることで、落下通路を落下する遊技球を確実に当接部に当てることができ、ひいては開閉部材を確実に開放することができる。また、誘導突起部に遊技球を衝突させた後に、当該遊技球を当接部に誘導することができるので、誘導突起部と当接部との間で遊技球が挟み込まれて落下通路内で球詰りが生じることを防止できる。
【手続補正３】
【補正対象書類名】明細書
【補正対象項目名】０００８
【補正方法】変更
【補正の内容】
【０００８】
（解決手段５）
解決手段３又は解決手段４において、前記誘導突起部は、前記落下通路を落下する遊技球を前記当接部の先端側から前記軸支部側となる方向に誘導する位置に設けられると共に、前記当接部と対向する前記落下通路の内壁面に設けられることを特徴とする請求項１記載の遊技機。
この場合、遊技球を当接部の先端側から軸支部側となる方向に誘導して当接部上に落下させることで、遊技球の衝撃力を効率良く回動部材の回動力に変換することができ、回動部材の回動速度を高めることでより一層素早いタイミングでの開閉部材の開放が可能になる。また、当接部と対向する位置に設けられた誘導突起部に遊技球を衝突させることで、遊技球を当接部の先端側から軸支部側となる方向に誘導して当接部上に落下させる。これにより、遊技球の衝撃力を効率良く回動部材の回動力に変換することができ、回動部材の回動速度を高めることでより一層素早いタイミングでの開閉部材の開放が可能になる。
【手続補正４】
【補正対象書類名】明細書
【補正対象項目名】００１１
【補正方法】変更
【補正の内容】
【００１１】
（解決手段８）
解決手段１乃至解決手段７において、前記落下通路における前記当接部との対向面となる内壁には、前記当接部と当接する遊技球を前記軸支部側に押し込む押込突起部が前記軸支部よりも下方位置に突設されることを特徴とする請求項１又は請求項２記載の遊技機。
この場合、確実に開閉部材を開放することができる。例えば、遊技球が当接部に当接するのと同じタイミングで、閉鎖位置にある開閉部材の前方に遊技球が落下するような場合でも、押込突起部による遊技球の押し込みによって開閉部材前方の遊技球を押し払って開閉部材を開放することができる。
【手続補正５】
【補正対象書類名】明細書
【補正対象項目名】００２５
【補正方法】変更
【補正の内容】
【００２５】
（解決手段２２）
解決手段１乃至解決手段２１において、前記可変入賞球装置は、左右方向に並設された２つの入賞口を備えると共に、該２つの入賞口には、前記開閉部材が個々に開閉可能に設けられ、当該２つの開閉部材に個々に設けられた前記当接部は、前記落下通路内を落下する単一の遊技球と個々に当接するように隣接して配置されることを特徴とする請求項１乃至請求項３のいずれかに記載の遊技機。
この場合、落下通路を落下する単一の遊技球によって可変入賞球装置の左右の入賞口をそれぞれ開放する構成にできるため、左右方向に入賞口を接近させて設置することができる。